(57)【特許請求の範囲】
【請求項１】
開閉自在に折り畳まれる台紙（１）に保持部（１ｂ）を形成し、この保持部（１ｂ）に、軸方向へ往復動自在なノック部（２ａ）を有する筆記具（２）を着脱自在に取り付けた筆記具付き広告紙において、
前記台紙（１）を折り畳んでその少なくとも一端に係止部（１ａ）を形成し、前記保持部（１ｂ）に筆記具（２）を取り付けることで、該筆記具（２）の前記ノック部（２a）が前記係止部（１ａ）と係合して前記係止部（１a）を閉塞させ、この閉塞状態から筆記具（２）の前記ノック部（２a）を移動することで、前記ノック部（２a）と係止部（１ａ）との係合を解除して前記係止部（１ａ）を開放させるようにしたことを特徴とする筆記具付き広告紙。
【請求項２】
開閉自在に折り畳まれる台紙（１）に保持部（１ｂ）を形成し、この保持部（１ｂ）に、径方向へ揺動自在なクリップ部（２ｂ）を有する筆記具（２）を、周方向へ回転可能であって且つ着脱自在に取り付けた筆記具付き広告紙において、
前記台紙（１）を折り畳んでその少なくとも一端に係止部（１ａ）を形成し、前記保持部（１ｂ）に筆記具（２）を取り付けることで、該筆記具（２）の前記クリップ部（２ｂ）が前記係止部（１ａ）と係合して前記係止部（１a）を閉塞させ、この閉塞状態から筆記具（２）全体を周方向へ回転操作することで、前記クリップ部（２ｂ）と係止部（１ａ）との係合を解除して前記係止部（１ａ）を開放させるようにしたことを特徴とする筆記具付き広告紙。
【請求項３】
上記台紙（１）の端部側に係止部（１ａ）を重ね合わせて配置したことを特徴とする請求項１又は２記載の筆記具付き広告紙。
【請求項４】
上記台紙（１）の重ね合わせられた係止部（１ａ）を筆記具（２）により一ヶ所で閉塞したことを特徴とする請求項１乃至３の何れか１項記載の筆記具付き広告紙。
【発明の詳細な説明】
【技術分野】
【０００１】
本発明は、販売促進用の景品（以下「販促品」）やサンプル商品（試供品）の頒布品等として使用される、商品の宣伝文や写真等が印刷された台紙と、例えばボールペンやシャープペンシル又は万年筆等の筆記具とを一体にした筆記具付き広告紙に関する。
詳しくは、開閉自在に折り畳まれる台紙に保持部を形成し、この保持部に筆記具を着脱自在に取り付けた筆記具付き広告紙に関する。
【背景技術】
【０００２】
従来、この種の筆記具付き広告紙として、中央の谷折り線を介して二つ折りに開閉可能な一対の連続する包装紙体と、これら包装紙体に跨がるようにして、夫々の谷折り線を介して連結されたフラップ部材を具備し、このフラップ部材には保持片が一体に形成され、該保持片に形成された保持部材（挿通部）に筆記具の軸筒を挿入することで保持し、上記中央の谷折り線を介して両包装紙体を閉じて、それらの自由端に形成された切り込み部と差し込み片とを挿通させることにより、両包装紙体の展開が阻止されて包装状態が維持されると共に、筆記具が両包装紙体の間に挟み込まれるようにして包装された包装体がある（例えば、特許文献１参照）。
そして、この筆記具付き広告紙を受け取った消費者自身が、切り込み部から差し込み片を抜いて包装体を展開することにより、筆記具が露出して取り外し可能になると共に、両包装紙体が見開き状態となるので、その対向面に印刷された例えば製品の特徴や、他の自社製品の宣伝、或いはアンケート文等が読み取り可能となって、セールスプロモーション効果を上げることができるようにしている。
【０００３】
しかし乍ら、このような従来の筆記具付き広告紙によれば、切り込み部及び差し込み片により両包装紙体の展開が阻止された状態では、これら両包装紙体の間に筆記具が挟み込まれてほとんど見えないため、この包装体を販促品として頒布した場合には、そのまま受け取っても外からは筆記具の存在を確認し難いことから、展開しないまま捨てられる恐れがあると共に、切り込み部と差し込み片との一般的な開封手法で包装紙体を開放して展開させるため、操作者に強い好奇心を持たせることができず、筆記具を取り外した後は宣伝文等の目を通すことなく捨てられる可能性が高くて、宣伝効果や販売促進効果を上げられないという問題があった。
また、このような従来の筆記具付き広告紙を組み立てるには、筆記具を所定位置に挿入した後に包装紙体を谷折り線に所定の順番で数回折り畳む必要があるため、その組み立て作業に手間取るだけでなく、包装紙体の構造も複雑であることから、製造コストが高くなるという問題もあった。
【特許文献１】特開２００３−３２１０８０号公報（第３−５頁、図１−４）
【発明の開示】
【発明が解決しようとする課題】
【０００４】
本発明は、上記従来事情に鑑みてなされたもので、その課題とするところは、簡単な構造で筆記具を確認し易くしながら台紙の展開操作に興味を持たせることが可能な筆記具付き広告紙を提供することにある。
【課題を解決するための手段】
【０００５】
上記課題を解決するための技術的手段は、開閉自在に折り畳まれる台紙（１）に保持部（１ｂ）を形成し、この保持部（１ｂ）に、軸方向へ往復動自在なノック部（２ａ）を有する筆記具（２）を着脱自在に取り付けた筆記具付き広告紙において、前記台紙（１）を折り畳んでその少なくとも一端に係止部（１ａ）を形成し、前記保持部（１ｂ）に筆記具（２）を取り付けることで、該筆記具（２）の前記ノック部（２a）が前記係止部（１ａ）と係合して前記係止部（１a）を閉塞させ、この閉塞状態から筆記具（２）の前記ノック部（２a）を移動することで、前記ノック部（２a）と係止部（１ａ）との係合を解除して前記係止部（１ａ）を開放させるようにしたことを特徴とする。
また、他の技術的手段では、開閉自在に折り畳まれる台紙（１）に保持部（１ｂ）を形成し、この保持部（１ｂ）に、径方向へ揺動自在なクリップ部（２ｂ）を有する筆記具（２）を、周方向へ回転可能であって且つ着脱自在に取り付けた筆記具付き広告紙において、前記台紙（１）を折り畳んでその少なくとも一端に係止部（１ａ）を形成し、前記保持部（１ｂ）に筆記具（２）を取り付けることで、該筆記具（２）の前記クリップ部（２ｂ）が前記係止部（１ａ）と係合して前記係止部（１a）を閉塞させ、この閉塞状態から筆記具（２）全体を周方向へ回転操作することで、前記クリップ部（２ｂ）と係止部（１ａ）との係合を解除して前記係止部（１ａ）を開放させるようにしたことを特徴とする。
【発明を実施するための最良の形態】
【０００６】
本発明に係る第一の形態では、台紙を折り畳んでその少なくとも一端に係止部を形成し、保持部に筆記具を取り付けることで、該筆記具が前記係止部と係合して閉塞させ、この閉塞状態から筆記具の一部又は全部を移動することで、係止部との係合を解除して開放させるようにした。
また、第二の形態では、上記第一の発明の構成に加えて、上記筆記具に備えた可動部で台紙の係止部を閉塞した。
また、第三の形態では、上記第二の形態の構成に加えて、上記筆記具の可動部が、筆記具の軸方向へ往復動自在なノック部であることとした。
また、第四の形態では、上記第二の形態の構成に加えて、上記筆記具に備えた可動部が、筆記具の径方向へ揺動自在なクリップ部であることとした。
また、第五の形態では、上記第一乃至第四の何れか一つの形態の構成に加えて、上記台紙の端部側に係止部を重ね合わせて配置した。
また、第六の形態では、上記第一乃至第五の何れか一つの形態の構成に加えて、上記台紙の重ね合わせられた係止部を筆記具により一ヶ所で閉塞した。
【０００７】
本実施の形態は、上記構成により下記の作用効果を奏する。
第一の形態によれば、台紙を折り畳んでその少なくとも一端に係止部を形成し、保持部に筆記具を取り付けることにより、該筆記具が前記係止部を浮き上がり不能に係合し閉塞させて台紙が展開不能に保持され、またこの閉塞状態から筆記具の一部又は全部を移動させることにより、該筆記具と係止部との係合が解除され、浮き上がり可能に開放されて台紙が展開可能となる。
したがって、簡単な構造で筆記具を確認し易くしながら台紙の展開操作に興味を持たせることができる。
よって、外からは筆記具の存在を確認し難い従来技術と比べ、展開しないまま捨てられる確率が著しく低下すると共に、展開した対向面に記載された宣伝文等にも好奇心を持たせることができ、その結果として宣伝効果や販売促進効果の向上が図れる。
また、筆記具を所定位置に挿入した後に包装紙体を谷折り線に所定の順番で数回折り畳む必要がある従来技術と比べ、その組み立て時の作業性が著しく向上し、製造コストの低減化が図れる。
第二の形態によれば、筆記具の可動部を操作することにより、台紙の係止部が開放されて、折り畳まれた台紙が展開される。
したがって、台紙の展開操作に更に強い興味を持たせることができる。
【０００８】
第三の形態によれば、筆記具のノック部を押動操作することにより、係止部との係合を解除して浮き上がり可能に開放される。
したがって、筆記具が一般的に具備しているノック部の操作で筆記具全体を取り外さなくても台紙を展開できて更に強い印象を与えることができる。
よって、筆記具に展開用の可動部を追加配備する必要がないから、その分だけ製造コストを低減できると共に、ノック部本来の機能とは別の作動で簡単に展開できるため、操作者に強い印象を与えることができ、それによって宣伝効果や販売促進効果も更に向上する。
【０００９】
第四の形態によれば、筆記具のクリップ部を揺動操作することにより、係止部との係合を解除して浮き上がり可能に開放される。
したがって、筆記具が一般的に具備しているクリップ部の操作で筆記具全体を取り外さなくても台紙を展開できて更に強い印象を与えることができる。
よって、筆記具に展開用の可動部を追加配備する必要がないから、その分だけ製造コストを低減できると共に、クリップ部本来の機能とは別の作動で簡単に展開できるため、操作者に強い印象を与えることができ、それによって宣伝効果や販売促進効果も更に向上する。
【００１０】
第五の形態によれば、台紙の端部側に係止部を重ね合わせて配置したため、折り畳まれた台紙１の対向面が広く確保される。
したがって、台紙１の対向面に記載する情報量を増大して宣伝効果や販売促進効果の向上を図ることができる。
【００１１】
第六の形態によれば、台紙の重ね合わせられた係止部を筆記具により一ヶ所で閉塞するため、台紙の形状及び閉塞構造が簡素化される。
したがって、製造性の向上を図ることができる。
【００１２】
本発明の筆記具付き広告紙Ａは、図１〜図７に示す如く、台紙１を折り返して重ね合わせることにより、その少なくとも一端に形成された係止部１ａを、筆記具２の保持部１ｂと並べて配置し、この保持部１ｂに棒状の筆記具２を取り付けることにより、該筆記具２の一部分が前記係止部１ａを浮き上がり不能に係合し閉塞させて台紙１を展開不能に保持し、またこの閉塞状態から筆記具２の一部のみ又は全体を移動させることにより、その一部分と係止部１ａとの係合が解除され、浮き上がり可能に開放されて台紙１を展開可能にしている。
【００１３】
前記保持部１ｂの好ましい一例によれば、台紙１に一対のスリット1b1を直線方向へ必要に応じて複数組切り込み形成し、一対のスリット1b1で挟まれた帯状部1b2の裏面を押し上げた状態で、各帯状部1b2の裏面と、その周囲の表面との間に挿通部を形成し、この挿通部に筆記具２を挿入して、例えばそのクリップ部２ｂの根元部分２ｂ′が帯状部1b2に突き当たるまで差し込むことにより、筆記具２の挿入方向へ位置ズレしないように位置決めすると共に、該筆記具２の大部分が露出して保持される。
【００１４】
前記筆記具２の好ましい一例によれば、その軸方向へ往復動自在なノック部２ａや径方向へ揺動自在なクリップ部２ｂ等の可動部を備えた例えばノック式ボールペンやクリップ付きボールペン等であり、前記保持部１ｂに挿入保持した状態で、このノック部２ａ又はクリップ部２ｂ等の可動部と、台紙１の係止部１ａとを係合させることにより、浮き上がり阻止して閉塞状態を保持し、この閉塞状態からノック部２ａ又はクリップ部２ｂ等の可動部を可動して係止部１ａとの係合を解除することにより、浮き上がり可能に開放されるようにしている。
以下、本発明の各実施例を図面に基づいて説明する。
【実施例１】
【００１５】
この実施例１は、図１及び図２に示す如く、台紙１の一端に一つの係止部１ａを形成し、他端に筆記具２の保持部１ｂを形成すると共に、その略中央位置から二つ折りして両端を重ね合わせることにより、この係止部１ａが保持部１ｂと該筆記具２の挿入方向へ並んで配置され、この保持部１ｂに筆記具２としてノック式筆記具を、前記係止部１ａの重ね合わせ部分１ａ′を跨ぐように挿入保持することにより、その末端から突出したノック部２ａで該係止部１ａの浮き上がりを阻止して閉塞させ、この閉塞状態からノック部２ａを押動操作することにより、係止部１ａとの係合を解除して浮き上がり可能に開放される場合を示したものである。
【００１６】
この台紙１は、例えば厚紙や折り曲げ可能な合成樹脂シート等からなり、図２（ｂ）に示す如く、全体の形状が略矩形状に裁断され、その一辺の片側のみに係止部１ａを突出させて配置し、他辺の反対側に筆記具２の保持部１ｂを配置すると共に、略中央位置に両辺と平行な折線１ｃを配置し、この折線１ｃを挟んで一対の紙面部１ｄ，１ｄが形成され、該折線１ｃに沿って谷折りすることにより、これら紙面部１ｄ，１ｄが見開き状態で重ね合わされる。
【００１７】
更に、これら紙面部１ｄ，１ｄの対向面には、例えば特開２００３−３２１０８０号公報に開示されるように、例えば商品（製品）の特徴や写真又はイラスト、又は他の自社商品の宣伝、或いはアンケート文等の説明１ｅが印刷で記載されている。
【００１８】
また、紙面部１ｄ，１ｄの表面には、図１及び図２（ａ）に示す如く、前述した説明１ｅを記載する以外に、例えば名刺等のカード３を差し込むための保持用切り込み１ｆを形成したり、台紙１を展開するために必要なノック式筆記具２の操作方法が文章又はイラスト等で表示された操作説明１ｇを、ノック部２ａの近くに印刷等で記載することが好ましく、更に必要に応じてそれら以外の手段を設けても良い。
【００１９】
次に、斯かる筆記具付き広告紙Ａの使用方法について説明する。
先ず、図１及び図２（ａ）に示す如く、台紙１を折線１ｃに沿って折り畳まれた状態で、保持部１ｂにノック式筆記具２を挿入して、その末端から突出するノック部２ａが係止部１ａの重ね合わせ部分１ａ′を跨ぐように配置するだけで、このノック部２ａが係止部１ａを浮き上がり不能に抑えるから、台紙１は閉塞状態に保持される。
【００２０】
この閉塞状態では、ノック式筆記具２を保持部１ｂから引き抜くか、又はノック部２ａを押し操作しない限り、台紙１が展開しないため、販促品として頒布される場合には、その構造や組み立て作業が簡単であるにも拘わらず、多少の衝撃が与えられても広がらないから、収納時にかさばらず、頒布し易くて非常に使用勝手が良い。
更に、ノック式筆記具２の大部分が常時露出しているため、展開しないまま捨てられる恐れがない。
【００２１】
そして、この筆記具付き広告紙Ａを受け取った消費者自身が、操作説明１ｇに従ってノック部２ａを押して挿入させると、このノック部２ａが係止部１ａから外れて両者間の係合が解除され、該係止部１ａが浮き上がり可能に開放される。
この際、台紙１自体に折線１ｃを挟んで折り畳み前の状態に戻ろうとする弾性力が残っている場合には、ノック部２ａを押して挿入させるだけで、この復元力により折り畳まれた台紙１が自然に展開する。
【００２２】
その結果、簡単な構造で筆記具２を確認し易くしながら操作者に対して台紙１の展開操作に強い興味を持たせることができる。
更に、筆記具２が一般的に具備しているノック部２ａの操作で筆記具２全体を取り外さなくても台紙１を展開できて更に強い印象を与えることができる。
【００２３】
即ち、ノック部２ａを押すことで台紙１が開くという意外性が、操作者に強い好奇心を持たせることができ、それにより展開した対向面に記載された例えば商品の特徴や写真又はイラスト、又は他の自社商品の宣伝、或いはアンケート文等の説明１ｅにも好奇心を持たせて、心理的に目を通すように誘導され、その結果として宣伝効果や販売促進効果の向上に繋がる。
【００２４】
また、台紙１の端部側に、その係止部１ａを重ね合わせて配置したため、折り畳まれた台紙１の対向面が広く確保され、更に、台紙１の重ね合わせられた係止部１ａを筆記具２により一ヶ所で閉塞したため、台紙１の形状及び閉塞構造が簡素化されるという利点もある。
【００２５】
なお、図３に示す如く、台紙１の折線１ｃに沿って折込部１ｈを形成することにより、折り畳み前の状態に戻ろうとする弾性力を増大させて、ノック部２ａを押すと、この復元力により折り畳まれた台紙１が確実に展開するようにしても良い。
【実施例２】
【００２６】
この実施例２は、図４及び図５に示す如く、前記筆記具２のノック部２ａに代えてクリップ付き筆記具２の径方向へ揺動自在なクリップ部２ｂにより、台紙１の一辺の中間部に突出形成した係止部１ａの浮き上がりを阻止して閉塞させ、この閉塞状態からクリップ部２ｂを周方向へ回転操作することにより、該クリップ部２ｂと係止部１ａとの係合が解除されて、浮き上がり可能に開放される構成が、前記図１〜図３に示した実施例１とは異なり、それ以外の構成は図１〜図３に示した実施例１と同じものである。
【００２７】
図示例では、このクリップ部２ｂが、軸筒２ｃに形成されたクリップ支持部（図示せず）に対し、板バネ等の弾性体２ｄを介して弾性的に揺動するように支持した場合を示しており、操作者が指で該クリップ部２ｂの基端部分2b1を摘むことによって、先端部分2b2を軸筒２ｃから離したまま筆記具２が移動操作できるようにしている。
【００２８】
それにより、図５（ａ）に示す閉塞状態から、図５（ｂ）に示す如く、クリップ部２ｂの基端部分2b1を摘んで先端部分2b2を軸筒２ｃから離し、図５（ｃ）に示す如く、この離したまま筆記具２全体を回転操作することで、係止部１ａの係止片との係合を解除させている。
【００２９】
なお、クリップ部２ｂの構造は前述した板バネ等の弾性体２ｄを介して弾性的に揺動させるものに限定されず、例えば軸筒２ｃとクリップ部２ｂとを一体形成してその弾性変形により揺動される構造でも良い。
【００３０】
従って、図４及び図５に示すものも、前記図１〜図３に示した実施例１と同様に、筆記具２が一般的に具備しているクリップ部２ｂの操作で筆記具２全体を取り外さなくても台紙１を展開できて更に強い印象を与えることができるという利点がある。
【実施例３】
【００３１】
この実施例３は、図６に示す如く、前記筆記具２のクリップ部２ｂにより、台紙１の一辺の中間部に突出形成した係止部１ａの浮き上がりを阻止して閉塞させ、この閉塞状態からクリップ部２ｂを開方向へ揺動させると共に筆記具２全体を軸方向へ移動操作することにより、該クリップ部２ｂと係止部１ａとの係合が解除されて、浮き上がり可能に開放される構成が、前記図４及び図５に示した実施例２とは異なり、それ以外の構成は実施例１と実施例２と同じものである。
【００３２】
従って、図６に示すものも、前記実施例２と同様に、筆記具２全体を取り外さなくても台紙１を展開できて更に強い印象を与えることができるという利点がある。
しかも、つまみ操作で開閉可能なクリップ部２ｂの機能を強調することができ、商品宣伝効果を高めることができる。
【実施例４】
【００３３】
この実施例４は、図７に示す如く、前記台紙１の両辺の中間位置に一対の係止部１ａ．１ａを夫々突出形成し、略中央位置には筆記具２の保持部１ｂが形成され、二本の略平行な折線１ｃ，１ｃ沿いに谷折りして、これら係止部１ａ，１ａが接近するように観音開き状に重ね合わせることにより、両係止部１ａ，１ａと筆記具２の保持部１ｂとが隣接して配置され、この保持部１ｂに筆記具２としてクリップ付き筆記具２を挿入保持することにより、そのクリップ部２ｂで両係止部１ａ，１ａの浮き上がりを阻止して閉塞させ、この閉塞状態からクリップ部２ｂを周方向どちらか一方へ回転操作するか、又はクリップ部２ｂと共に筆記具２全体を軸方向へ移動操作ことにより、両係止部１ａ，１ａの一方或いは両方との係合が解除されて、浮き上がり可能に開放される構成が、前記図４及び図５に示した実施例２と図６に示した実施例３は異なり、それ以外の構成は実施例１〜実施例３と同じものである。
【００３４】
従って、図７に示すものも、前記実施例２及び実施例３と同様に、筆記具２全体を取り外さなくても台紙１を展開できて更に強い印象を与えることができるという利点がある。
【００３５】
尚、上記筆記具付き広告紙Ａによれば、筆記具２としてノック式筆記具やクリップ付き筆記具を使用したが、本発明は、これに限定されず、ノック部２ａやクリップ部２ｂ等の可動部を具備しない例えばキャップ式のボールペンや万年筆等でも良い。
この場合には図示せぬが、前記保持部１ｂに挿入保持した状態で、該筆記具２の一部分と台紙１の係止部１ａとを係合させることにより、浮き上がり阻止して閉塞状態を保持し、またこの閉塞状態から筆記具２の全体を移動して、係止部１ａとの係合を解除することにより、浮き上がり可能に開放されるようにする。
【００３６】
更に、上記筆記具２の保持部１ｂは一対のスリット1b1とそれで挟まれた帯状部1b2とから形成される挿通部に限定されず、筆記具２の軸方向へ位置ズレ不能でしかも該筆記具２の大部分が露出して保持できれば、図示例以外の構造であっても良い。
【図面の簡単な説明】
【００３７】
【図１】本発明の一実施例を示す筆記具付き広告紙の斜視図である。
【図２】（ａ）が折り畳まれた状態を示す正面図、（ｂ）が展開状態を示す正面図である。
【図３】台紙の変形例を示す斜視図である。
【図４】本発明の他の実施例を示す筆記具付き広告紙の正面図である。
【図５】図４の（５）−（５）に沿える部分拡大断面図であり、開放操作の順番に（ａ）〜（ｃ）に示している。
【図６】本発明の他の実施例を示す筆記具付き広告紙の正面図である。
【図７】本発明の他の実施例を示す筆記具付き広告紙の正面図である。
【符号の説明】
【００３８】
１  台紙                              １ａ  係止部
１ｂ  保持部                          ２  筆記具
２ａ  ノック部                        ２ｂ  クリップ部
【図１】
0004673001.tif 000002
【図２】
0004673001.tif 000003
【図３】
0004673001.tif 000004
【図４】
0004673001.tif 000005
【図５】
0004673001.tif 000006
【図６】
0004673001.tif 000007
【図７】
0004673001.tif 000008